(57)【要約】【課題】出力軸側に比較的高い負荷がかかっている状態であっても、入力軸から出力軸に回転トルクを伝達することができるフリータイプ双方向クラッチを提供すること。【解決手段】ハウジング１内に、回転軸ｏを中心として回転可能な入力軸２及び出力軸３を設置すると共に、出力軸３に設けられた偏心部３２に嵌め込まれて回転軸ｏの周りを公転する作動子４を設置する。作動子４には、出力軸３の偏心部３２に嵌り合う円形穴４３を形成するとともに、軸方向に延びる断面が環状の筒壁部４２を設ける。入力軸２には、回転軸ｏを取り巻く環状の溝部２５を形成し、作動子４の筒壁部４２が入力軸２の溝部２５に入り込む。そして、作動子４と入力軸２とは、筒壁部４２の外周面と溝部２５の外周面とが第１当接部Ｐ１で当接するとともに、第１当接部Ｐ１と回転軸ｏを挟んで対向する位置の第２当接部Ｐ２で、筒壁部４２の内周面と溝部２５の内周面とが当接する。【選択図】図１
2017155752.tif 000002
【特許請求の範囲】
【請求項１】
回転不能のハウジング、前記ハウジング内で共通の回転軸を中心として回転可能な入力軸及び出力軸を備え、前記入力軸からの正・逆方向の回転は前記出力軸に伝達されるとともに、前記出力軸からの前記入力軸への回転の伝達は、前記出力軸が空転して遮断されるフリータイプ双方向クラッチであって、
前記ハウジングの内部には、前記出力軸に設けられた断面円形の偏心部に嵌め込まれて前記回転軸の周りを公転する作動子が設置され、
前記作動子には、前記偏心部に嵌り合う円形穴が形成されるとともに、軸方向に延びる断面が環状の筒壁部が設けられ、
前記入力軸には、前記回転軸を取り巻く環状の溝部が形成され、前記作動子の筒壁部が前記入力軸の溝部に入り込んでおり、
前記作動子と前記入力軸とは、前記筒壁部の外周面と前記溝部の外周面とが第１当接部で当接するとともに、前記第１当接部と前記回転軸を挟んで対向する位置の第２当接部で、前記筒壁部の内周面と前記溝部の内周面とが当接している、ことを特徴とするフリータイプ双方向クラッチ。
【請求項２】
前記作動子の筒壁部と前記入力軸の溝部とは、その断面形状が、内周面及び外周面共に正多角形である、請求項１に記載のフリータイプ双方向クラッチ。
【請求項３】
前記ハウジングの内部には、前記作動子と前記入力軸とが当接する端面に対して軸方向に押圧力を付与するばねが設置されている、請求項１又は２に記載のフリータイプ双方向クラッチ。
【請求項４】
前記入力軸及び前記作動子には、前記ハウジングと対向する端面に、前記ハウジングと当接する環状の突条が形成されている請求項１乃至３のいずれかに記載のフリータイプ双方向クラッチ。
【発明の詳細な説明】
【技術分野】
【０００１】
本発明は、入力軸と出力軸との間の動力伝達状態を変更するクラッチ装置、特に、入力軸からの正・逆回転の動力を出力軸に伝達し、出力軸からの動力の伝達は、出力軸を空転させて遮断するフリータイプ双方向クラッチに関するものである。
【背景技術】
【０００２】
モーターなどの駆動源から機械装置あるいは作業機器等を駆動する動力伝達系では、駆動する機器の特性に対応するよう各種の伝達装置が使用される。このような伝達装置の中で双方向クラッチと呼ばれるものは、入力軸（駆動側）から出力軸（従動側）への動力伝達では、入力軸の正方向回転及び逆方向回転をともに出力軸に伝達し、反対向きの、出力軸から入力軸への動力伝達は遮断する機能を備えている。双方向クラッチには、出力軸からの動力伝達を遮断するときに出力軸を空転させるクラッチがあり、フリータイプ双方向クラッチと呼ばれている。
【０００３】
フリータイプ双方向クラッチは、一例として、電動カーテンや電動スライドドア等を手動でも操作できるようにした開閉駆動装置に適用することができる。この場合、フリータイプ双方向クラッチは、駆動モーターとカーテンの巻き上げ機構との間に介在され、入力軸に駆動モーターが、出力軸に巻き上げ機構が連結される。駆動モーターを正・逆回転させるとカーテンの昇降が可能であるとともに、駆動モーターの停止位置においては、手動による巻き上げ機構の操作が可能であって、このときには、出力軸が空転するので駆動モーターに悪影響を及ぼすことがない。こうした機能は、電磁クラッチを使用しても達成できるが、電磁クラッチを作動させるには電力を必要とし、電力制御のための複雑な制御装置等も必要となる。
【０００４】
フリータイプ双方向クラッチとしては、例えば、本出願人の創案に係る特許文献１に記載された双方向クラッチが知られており、これについて、図６及び図７により説明する。図６は、フリータイプ双方向クラッチの全体的な構造を示す断面図、図７（ａ）（ｂ）は、その作動を示す作動図である。
【０００５】
図６に示すとおり、円筒形のハウジングＨＧの内側には、入力軸ＩＳ、出力軸ＯＳ、及び作動子ＭＢが配設されている。入力軸ＩＳには、入力平板部ＩＰ、及びこの入力平板部ＩＰから軸方向に延びる断面が環状の入力筒壁部ＩＣが設けられている。入力筒壁部ＩＣの内周面には内歯ＩＴが６個形成され、隣接する内歯ＩＴとの間の谷部の断面形状は略６角形である。出力軸ＯＳには、断面が円形であってその中心軸がＯ’である偏心部ＥＢが設けられている。
作動子ＭＢには、作動平板部ＭＰ、及びこの作動平板部ＭＰから軸方向に延びる断面が環状の作動筒壁部ＭＣが設けられている。作動筒壁部ＭＣには、出力軸ＯＳに設けられた偏心部ＥＢが嵌まり込む円形穴ＣＨが形成されている。作動筒壁部ＭＣの外周面には断面形状が略６角形である外歯ＥＴが６個形成されており、夫々の外歯ＥＴは入力筒壁部ＩＣの内周面において隣接する内歯ＩＴの間の谷部に入り込んでいる。更に、ハウジングＨＧの内側には、入力軸ＩＳの回転軸部の外周面に接触して入力軸ＩＳの回転に一定の拘束力を付与するばねＳが設置されている。
【０００６】
入力軸ＩＳが回転すると、図７（ａ）に示すように、入力筒壁部ＩＣの内周面に形成された内歯ＩＴが作動筒壁部ＭＣの外周面に形成された外歯ＥＴと噛み合いこれを外側から押しつける形で、作動子ＭＢを回転軸Ｏの周りで回転させる。この際には、作動子ＭＢの円形穴ＣＨに嵌まり込んだ偏心部ＥＢも回転軸Ｏの周りを回転することから、出力軸ＯＳが回転軸Ｏの周りを回転することとなる。
一方、出力軸ＯＳ側から駆動されて偏心部ＥＢが回転軸Ｏの周りを回転したとしても、図７（ｂ）に示すように、作動子ＭＢの外周面に形成された外歯ＥＴが入力筒壁部ＩＣの隣接する内歯ＩＴの間の谷部に入り込んだ状態を維持しつつ、作動子ＭＢが回転軸Ｏの周りを公転する。つまり、作動子ＭＢは、いわば姿勢を変えることなく、その全体が偏心部ＥＢの偏心量を半径とする円周上を移動する。そのため、上記出力軸ＯＳ側からの駆動は入力軸ＩＳに伝達されず、出力軸ＯＳは単に空転することとなる。
【先行技術文献】
【特許文献】
【０００７】
【特許文献１】特開２０１５−１５８２３８号
【発明の概要】
【発明が解決しようとする課題】
【０００８】
上述のとおり、図６のフリータイプ双方向クラッチは、出力軸からの動力伝達を遮断することができるコンパクトな機械部品であるけれども、用途によってはいまだ改良すべき余地が残されている。本発明は、こうしたフリータイプ双方向クラッチの、以下に述べるような課題を解決するものである。
まず、図６の双方向クラッチでは、入力筒壁部ＩＣの内周面に形成された内歯ＩＴの形状及び作動筒壁部ＭＣの外周面に形成された外歯ＥＴの形状が共に複雑であるため、入力軸ＩＳ及び作動子ＭＢの製造工程は煩雑になりコストがかかる。
また、入力軸ＩＳの回転が出力軸ＯＳに伝達する際には、図７（ａ）に示すように、入力軸ＩＳと作動子ＭＢとが、入力筒壁部ＩＣの１つの内歯ＩＴと作動筒壁部ＭＣの１つの外歯ＥＴとの１点においてのみ接触する。そのため、出力軸ＯＳ側に比較的高い負荷（トルク）がかかっている場合には、入力軸ＩＳの内歯ＩＴは、作動子ＭＢを回転軸Ｏ周りに回転させるだけの十分な偶力（トルク）を作動筒壁部ＭＣの外歯ＥＴに作用させることができず、入力軸ＩＳの回転が出力軸ＯＳへ伝達されないおそれがある。
【課題を解決するための手段】
【０００９】
上記の課題に鑑み、本発明は、作動子に断面が環状の筒壁部を設けると共に、入力軸に作動子の筒壁部が嵌まり込む環状の溝部を設け、作動子の筒壁部と入力軸の溝部とを、回転軸を挟んで対向して位置する２個所の当接部において夫々当接するように構成したものである。すなわち、本発明は、
「回転不能のハウジング、前記ハウジング内で共通の回転軸を中心として回転可能な入力軸及び出力軸を備え、前記入力軸からの正・逆方向の回転は前記出力軸に伝達されるとともに、前記出力軸からの前記入力軸への回転の伝達は、前記出力軸が空転して遮断されるフリータイプ双方向クラッチであって、
前記ハウジングの内部には、前記出力軸に設けられた断面円形の偏心部に嵌め込まれて前記回転軸の周りを公転する作動子が設置され、
前記作動子には、前記偏心部に嵌り合う円形穴が形成されるとともに、軸方向に延びる断面が環状の筒壁部が設けられ、
前記入力軸には、前記回転軸を取り巻く環状の溝部が形成され、前記作動子の筒壁部が前記入力軸の溝部に入り込んでおり、
前記作動子と前記入力軸とは、前記筒壁部の外周面と前記溝部の外周面とが第１当接部で当接するとともに、前記第１当接部と前記回転軸を挟んで対向する位置の第２当接部で、前記筒壁部の内周面と前記溝部の内周面とが当接している」
ことを特徴とするフリータイプ双方向クラッチとなっている。
【発明の効果】
【００１０】
本発明のフリータイプ双方向クラッチでは、回転不能のハウジング内に、共通の回転軸を中心として回転可能な入力軸及び出力軸を設置すると共に、出力軸に設けられた断面円形の偏心部に嵌め込まれて回転軸の周りを公転する作動子を設置する。これらは、従来のフリータイプ双方向クラッチ（図６）と同様であるが、本発明のものでは、作動子には軸方向に延びる断面が環状の筒壁部を設け、入力軸には、回転軸を取り巻く環状の溝部を形成して、この溝部に作動子の筒壁部を入れ込む。そして、作動子及び入力軸の断面は、筒壁部の外周面と溝部の外周面とが第１当接部で当接するとともに、第１当接部と回転軸を挟んで対向する位置の第２当接部で、筒壁部の内周面と溝部の内周面とが当接するように形成されている。
【００１１】
本発明のフリータイプ双方向クラッチにおいて、入力軸が回転したときは、後に図２を用いて説明するように、入力軸の溝部が作動子の筒壁部と上記２個所の当接部で当接しているため、作動子が入力軸とロック状態となり、作動子は、入力軸の回転軸の周りを入力軸と一体的に回転する。作動子には出力軸の偏心部が嵌め込まれ、出力軸の回転軸は入力軸と共通であるので、入力軸は作動子を介して出力軸と一体化されることとなり、入力軸からの正・逆方向の回転は出力軸にそのまま伝達されて、出力軸が同一回転数で同じ方向に回転する。
これに対し、出力軸が回転すると、出力軸の偏心部は作動子の円形穴に対して摺動し、作動子は、自転することなくその中心が共通の回転軸の周りを回転、即ち公転することとなる。このとき、作動子の筒壁部は入力軸の溝部に入り込んでいるが、上記第１当接部及び第２当接部以外では、筒壁部と溝部との間には間隙が存在し、入力軸が停止したままで筒壁部が溝部内で公転運動することが許容されている。つまり、出力軸が回転しても、作動子は公転するだけであって、出力軸は空転し、その回転は入力軸に伝達されない。
【００１２】
このように、本発明のフリータイプ双方向クラッチにおいては、入力軸の溝部と作動子の筒壁部を利用して、入力軸から出力軸へ動力を伝達するとともに、反対向きの伝達は、出力軸を空転させて遮断する。ここで、出力軸への伝達の際には、回転軸を挟んで対向する位置にある第１当接部と第２当接部の２点において入力軸から作動子へ力が作用する。そのため、従来のフリータイプ双方向クラッチのような、動力伝達が１点を介して行われる場合よりも格段に大きな偶力（トルク）を、確実に作動子に作用させることができる。これにより、出力軸側に高い負荷がかかっている場合でも、出力軸を回転させ動力を伝達することが可能となる。
また、本発明のフリータイプ双方向クラッチは、複雑な形状を有する外歯及び内歯を設けることなく比較的単純な形状の機械部品で構成することが可能であるため、製造コストを低減することができると共に装置全体をコンパクトにすることができる。
【図面の簡単な説明】
【００１３】
【図１】本発明のフリータイプ双方向クラッチの第１実施例を示す構造図である。
【図２】第１実施例のフリータイプ双方向クラッチの作動を説明する図である。
【図３】第１実施例の動力伝達関連部品の単体図である。
【図４】本発明のフリータイプ双方向クラッチの第２実施例を示す図である。
【図５】本発明のフリータイプ双方向クラッチの第３実施例を示す図である。
【図６】従来のフリータイプ双方向クラッチの一例を示す図である。
【図７】図７のフリータイプ双方向クラッチの作動を説明する図である。
【発明を実施するための形態】
【００１４】
以下、図面に基づいて、本発明のフリータイプ双方向クラッチについて説明する。図１には、本発明のフリータイプ双方向クラッチの第１実施例の全体構造を示し、その作動の説明図を図２に示す。また、図３は、第１実施例のフリータイプ双方向クラッチの動力伝達関連部品を単体の状態で示すものである。
【００１５】
図１に示すように、第１実施例のフリータイプ双方向クラッチは、固定された断面円形のハウジング１の中心部に配置された、共通の回転軸ｏを有する入力軸２と出力軸３とを備えている。
【００１６】
ハウジング１は、円周壁部と端板部とからなるカップ状部材であって、その中心軸は入力軸２及び出力軸３の回転軸ｏと同一である。ハウジング１の開口端部には、ハウジング１の一部であって、その内部を閉鎖する円板状のシールド体１１が圧入されている。
【００１７】
入力軸２は、円柱形状である入力軸部２１とその先端に固着された円板形状の入力平板部２２とを備えている（単体図である図３（ｂ）も参照）。入力平板部２２において入力軸部２１が固着された面とは反対側の面には、入力平板部２２の外周縁から回転軸ｏと同心に軸方向に延びる円筒形状の外輪部２３と、入力平板部２２の中心部から回転軸ｏと同心に軸方向に延びる突出部２４が設けられている。
入力平板部２２からの外輪部２３の延出長さは突出部２４のそれよりも長い。これにより、外輪部２３の内側には、外輪部２３の基端部の内周面と突出部２４の外周面と入力平板部２２とで画成された、回転軸ｏを取り巻く環状の溝部２５が形成され、また、この溝部２５と軸方向に隣接すると共に外輪部２３の内周面によって画成される空洞部２６が形成される。図示の第１実施例においては、外輪部２３の内周面及び突出部２４の外周面の断面形状は共に正６角形であり、従って、溝部２５はその断面形状が内周面及び外周面共に正６角形である。
入力平板部２２において入力軸部２１が固着された面、即ちハウジング１の端板部と対向する端面、には回転軸ｏを中心とした環状の突条２７が形成されている。突出部２４の中心には中心孔２８が形成されている。この入力軸２は、入力軸部２１がハウジング１の端板部の中心を貫通してハウジング１に軸受され、突条２７がハウジング１の端板部と当接する。
【００１８】
出力軸３は、円柱形状である出力軸部３１とそれに固着された断面円形の偏心部３２とを備える（単体図である図３（ｄ）も参照）。偏心部３２の中心は、出力軸３の回転軸ｏと距離ｅだけ離れており、偏心部３２の出力軸部３１と反対側には、入力軸２に向けて延びる中心軸３３が形成されている。
この出力軸３は、出力軸部３１がシールド体１１の中心を貫通してシールド体１１に軸受され、中心軸３３は入力軸２の中央孔２２嵌まり込む。この構成により、入力軸２と出力軸３とは、相互に軸受けされた状態となり、回転時における軸の傾き或いは不安定な作動が防止される。
【００１９】
ハウジング１の内部には、出力軸３の偏心部３２に嵌め込まれて回転軸ｏの周りを公転する作動子４（図１及び図２ではわかりやすいようにハッチングを施す）も設置されている。作動子４は、作動平板部４１と、この作動平板部４１の外周縁から軸方向に延びる断面が環状の筒壁部４２とを備える（単体図である図３（ｃ）も参照）。図示の第１実施例においては、作動平板部４１は断面が正６角形の平板部材であり、従って、筒壁部４２の断面形状の外周面も正６角形である。また、筒壁部４２の断面形状の内周面も正６角形であり、筒壁部４２の断面は、回転軸ｏを取り巻く環状の正６角形形状となっている。
作動平板部４１の中央部には、出力軸３の偏心部３２と嵌り合う円形穴４３が形成されている。作動平板部４１において筒壁部４２が設けられた面とは反対側の面、即ちハウジング１の一部であるシールド体１１と対向する端面、の外周縁には環状の突条４４が形成されている。
【００２０】
作動子４は、円形穴４３に出力軸３の偏心部３２が嵌め込まれた状態でハウジング１内に設置される。この際には、図１の右側の断面矢視Ａ−Ａに示すとおり、筒壁部４２が入力軸２の溝部２５に入り込むと共に、図１の左側の断面矢視Ｂ−Ｂに示すとおり、作動平板部４１が入力軸２の空洞部２６内に入り込む。そして、作動子４と入力軸２とは、作動子４の筒壁部４２の外周面と入力軸２の溝部２５の外周面（即ち外輪部２３の内周面）との当接部である第１の当接部Ｐ１、及び作動子４の筒壁部４２の内周面と入力軸２の溝部２５の内周面（即ち突出部２４の外周面）との当接部である第２の当接部Ｐ２において相互に当接し、両方の当接部Ｐ１、Ｐ２は、回転軸ｏを挟んで対向する位置にある。当接部以外の部分には間隙が存在し、筒壁部４２が溝部２５内で公転運動することが許容されることとなる。
また、突条４４はシールド体１１と当接するとともに、筒壁部４２の先端面は入力軸２の溝部２５の底面（即ち入力平板部２２）と当接する。
【００２１】
更に、ハウジング１の内部には、作動子４と入力軸１とが当接する端面に対して軸方向に押圧力を付与するばね５が設置されている。単体部品図である図３（ａ）を参照することによって理解されるとおり、ばね５は円環形状の波形ばねである（図３（ａ）の左図における３組の実線及び破線は、波形ばねの山部と谷部を表す）。このばね５は、入力軸部２１が挿通されて入力平板部２２とハウジング１の端板部との間に設置され、作動子４と入力軸１とが当接する面に作用する圧力を増大させる。
【００２２】
ここで、図１の第１実施例のフリータイプ双方向クラッチの作動について、図２を用いて説明する。
図２（ａ）の断面矢視Ａ−Ａ等における各矢印に示すように、入力軸２が、例えば、駆動源のモーターにより反時計方向（軸方向の右方から見て）に回転すると、第１の当接部Ｐ１において、作動子４の筒壁部４２の外周面は入力軸２の外輪部２３の内周面によって外側から押しつけられると共に、第１の当接部Ｐ１と回転軸ｏを挟んで対向して位置する第２の当接部Ｐ２においても、作動子４の筒壁部４２の内周面が入力軸２の突出部２４の外周面によって内側から押しつけられる形で、作動子４に回転軸ｏ周りの回転トルクが付与される。これにより、入力軸２と作動子４とが一体となりロックされた状態で、回転軸ｏの周りを回転する。
このように、本発明のフリータイプ双方向クラッチにおいては、入力軸２から作動子４への回転トルクの伝達が、回転軸ｏを挟んで対向する第１の当接部Ｐ１及び第２の当接部Ｐ２の２点を介して行われる。そのため、入力軸２から作動子４への回転トルクの伝達が１点を介して行われる場合よりも、格段に大きな偶力（トルク）を効率よく作動子４に作用させることができる。従って、仮に出力軸３側に比較的高い負荷がかかっている場合であっても、作動子４を回転軸ｏの周りで回転させることが可能となり、入力軸２から作動子４へ確実に動力を伝達することができる。そして、最終的には出力軸３に連なる機械装置、例えば、カーテンの巻き上げ機構が駆動されることとなる。
【００２３】
図示の第１実施例においては、作動子４の筒壁部４２と入力軸２の溝部２５は、共に断面形状が正６角形となっており、第１の当接部Ｐ１及び第２の当接部Ｐ２は、両方とも直線状となる。そのため、作動子４と入力軸２の接触面積が大きく、この点からもより大きなトルク伝達が可能となる。なお、当接部を直線状にするには、筒壁部４２と溝部２５の断面形状が正６角形に限定されるものではなく、多角形形状であればよいことは明らかである。
また、入力軸２及び作動子４にはハウジング１と対向する端面にハウジング１と当接する環状の突条２７及び４４が形成されている。これによって、回転部材である入力軸２及び作動子４と固定部材であるハウジング１との接触面積が低減され、入力軸２から出力軸３への回転トルクの伝達に対する摩擦損失が低減され、伝達効率が向上する。
【００２４】
ところで、作動子４の筒壁部４２と入力軸２の溝部２５は、作動子４の公転運動を許容する構造となっている関係上、条件によっては作動子４と入力軸２との間に相対的な運動が生じて、入力軸２と作動子４とが一体となりロックされた状態での動力伝達が円滑に行われなくなる恐れがある。
このような事態を防止するため、第１実施例においては、ばね５によって、作動子４と入力軸１とが当接する端面に対して軸方向に押圧力が付与されている。これにより、作動子４と入力軸１との間に摩擦力が作用し、両者の間の相対的な運動を阻止して、入力軸２と作動子４とが一体化された動力伝達を確実に行わせることができる。
【００２５】
第１実施例のフリータイプ双方向クラッチにおいて、図２（ｂ）の中央の縦断面図における矢印に示すように、出力軸３が反時計方向（軸方向の右方から見て）に回転した場合には、出力軸３の偏心部３２が作動子４の円形穴４３に対して同方向に回転して摺動し、作動子４は、自転することなくその中心が回転軸ｏを中心とする半径ｅの円周上を移動、即ち公転する。つまり、作動子４の筒壁部４２と入力軸２の溝部２５との間には、第１当接部Ｐ１及び第２当接部Ｐ２以外の個所では間隙が存在し、筒壁部４２が溝部２５内で公転運動することが許容されているので、筒壁部４２は、図２（ｂ）の断面矢視Ａ−Ａにおける小円矢印のように、半径ｅの円周上を移動することとなり、作動子４の公転が入力軸２に回転トルクを作用させることはない。
同様に、入力軸２の空洞部２６内においても作動平板部４１は公転し（図２（ｂ）の断面矢視Ｂ−Ｂ参照）、入力軸２に回転トルクを作用させることはない。つまり、出力軸３が回転しても、作動子４は公転するだけであって、出力軸３は空転し、その回転は入力軸２に伝達されない。
【００２６】
このように、作動子６が入力軸２に対して公転運動をすることが許容されているので、出力軸３が回転しても、作動子６は、入力軸２の内側で公転するだけであって、出力軸３は空転し、その回転は入力軸２に伝達されない。例えば、出力軸３に連なるカーテンの巻き上げ機構を駆動する動力伝達系では、駆動源のモーターを停止したまま、カーテンを手動で昇降することが可能である。
【００２７】
図１に示す第１実施例のフリータイプ双方向クラッチにおいては、作動子４の筒壁部４２と入力軸２の溝部２５とは、その断面形状が、内周面及び外周面共に正６角形であったが、断面形状は、これに限定されることはなく種々の変形例が考えられる。
例えば、図４に示す本発明の第２実施例のフリータイプ双方向クラッチでは、作動子４´の筒壁部４２´と入力軸２´の溝部２５´の断面形状は楕円形状となっている（従って作動平板部４１´と空洞部２６´の断面形状も楕円形状となっている）。第２実施例のフリータイプ双方向クラッチにおいては、筒壁部４２´と溝部２５´とは、中心軸を挟んで対向する２点、即ちＰ１´、Ｐ２´で当接することとなる。
【００２８】
また、図５に示す本発明の第３実施例のフリータイプ双方向クラッチは、作動子４´´の筒壁部４２´´と入力軸２´´の溝部２５´´の断面形状を円形形状としたものである（従って作動平板部４１´´と空洞部２６´´の断面形状も楕円形状となっている）。ここで、図５の第３実施例のものでは、作動子４´´を回転軸ｏに対してαだけ偏心（つまり、出力軸偏心部の偏心量がα）させると共に、作動子４´´の円形穴４３´´と入力軸２´´の溝部２５´´とを更にβだけ位置ずれさせたものとなっている。
第２実施例及び第３実施例のフリータイプ双方向クラッチも、従来（図６）のものと比べると、作動子の形状が非常に単純であって、製造が容易である。
【００２９】
以上詳述したように、本発明のフリータイプ双方向クラッチは、回転軸を取り巻く環状の溝部が形成された入力軸とこの入力軸に形成された溝部に入り込む筒壁部が形成された作動子とを組み合わせ、入力軸の回転時には、作動子をロック状態として動力伝達を可能とする一方、出力軸の回転時には、作動子の公転運動を許容して出力軸を空転させることにより、フリータイプ双方向クラッチの機能を達成するものである。上記の実施例では、出力軸の偏心部と作動子との間を滑り軸受けの構造としているが、出力軸の偏心部と作動子との間に転がりベアリングを介在させてもよい、また、入出力軸と作動子との間に軸方向のスラスト軸受けを設け、各可動部品の円滑な回転を図るなど、上記実施例に対し各種の変形が可能であるのは明らかである。
【符号の説明】
【００３０】
１：ハウジング
２：入力軸
２５：溝部
３：出力軸
３２：偏心部
４：作動子
４２：筒壁部
４３：円形穴
５：ばね
Ｐ１：第１当接部
Ｐ２：第２当接部
ｏ：回転軸
【図１】
2017155752.tif 000003
【図２】
2017155752.tif 000004
【図３】
2017155752.tif 000005
【図４】
2017155752.tif 000006
【図５】
2017155752.tif 000007
【図６】
2017155752.tif 000008
【図７】
2017155752.tif 000009